(57)【特許請求の範囲】
【請求項１】
ユーザ機器（ＵＥ）による複数のワイヤレス通信に関する方法であって、
第１のサブフレームの構成で前記ＵＥを構成するシグナリングを受信することと、
ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関するＳＰＳをアクティブ化する第１のサブフレームにおけるアクティブ化制御チャネルを受信することと、
１つまたは複数の第２のサブフレームにおいて、アップリンクまたはダウンリンクＳＰＳ送信のうちの前記少なくとも１つに関するＳＰＳサブフレームセットと現在のサブフレームの構成との間のコンフリクトを検出することと、ここにおいて、前記現在のサブフレームの構成は、前記第１のサブフレームの構成のｅＩＭＴＡ適応サブフレームの構成である、
前記コンフリクトを検出した後、前記第１のサブフレームの構成または前記基準サブフレームの構成のうちの少なくとも１つに基づいて、前記１つまたは複数の第２のサブフレームにおいて、複数のアップリンクＳＰＳ送信を送信するか、または複数のダウンリンクＳＰＳ送信を受信するかを決定することと、
を備える方法。
【請求項２】
前記第１のサブフレームの構成で前記ＵＥを構成する前記シグナリングは、システム情報ブロックに基づく、請求項１に記載の方法。
【請求項３】
前記１つまたは複数の第２のサブフレームにおいて、複数のアップリンクＳＰＳ送信を送信するかどうかの前記決定に少なくとも部分的に基づいて前記複数のアップリンクＳＰＳ送信を送信すること、または
前記１つまたは複数の第２のサブフレームにおいて、複数のダウンリンクＳＰＳ送信を受信するかどうかの前記決定に少なくとも部分的に基づいて前記複数のダウンリンクＳＰＳ送信を受信すること、
のうちの少なくとも１つをさらに備える、請求項１に記載の方法。
【請求項４】
前記ＵＥに関する複数のＳＰＳパラメータのセットを構成する構成を受信することと、ここにおいて、前記複数のＳＰＳパラメータのセットは、ＳＰＳインターバル、ＵＥ特有のアイデンティティ、ＨＡＲＱ処理の数、複数のＨＡＲＱリソースのセット、複数の電力制御パラメータのセット、暗黙のリリースに関するタイマ、または２つのインターバルの動作を制御するパラメータのうちの少なくとも１つを含み、ここにおいて、前記１つまたは複数の第２のサブフレームにおいて、複数のダウンリンクＳＰＳ送信を受信するか、または複数のアップリンクＳＰＳ送信を送信するかの前記決定は、前記複数のＳＰＳパラメータのセットの前記構成にさらに基づく、
をさらに備える、請求項３に記載の方法。
【請求項５】
前記基準サブフレームの構成から独立した、前記第１のサブフレームの構成、前記複数のＳＰＳパラメータのセットの前記構成、および前記アクティブ化制御チャネルに基づいて、前記１つまたは複数の第２のサブフレームのうちの１つのサブフレームにおいて、前記複数のアップリンクＳＰＳ送信を送信すること、または前記複数のダウンリンクＳＰＳ送信を受信することを決定することをさらに備える、請求項４に記載の方法。
【請求項６】
前記アクティブ化制御チャネルは、複数のダウンリンクＳＰＳ送信または複数のアップリンクＳＰＳ送信のうちの前記少なくとも１つに関する変調およびコーディング  インジケータまたは複数のリソースのセットのうちの少なくとも１つを割り当てる、請求項１に記載の方法。
【請求項７】
前記第１のサブフレームの構成と異なる第２のサブフレームの構成を指示する動的なインジケータを受信することをさらに備え、ここにおいて、前記第２のサブフレームの構成はｅＩＭＴＡ適応サブフレームの構成である、請求項１に記載の方法。
【請求項８】
前記ＳＰＳはダウンリンクＳＰＳであり、および前記１つまたは複数の第２のサブフレームにおいて、前記複数のダウンリンクＳＰＳ送信を受信するかどうかの前記決定は、前記第１のサブフレームの構成と前記第２のサブフレームの構成の両方に基づく、請求項７に記載の方法。
【請求項９】
前記１つまたは複数の第２のサブフレームのうちの１つのサブフレームにおいて、前記サブフレームが、ダウンリンクサブフレームまたは特別なサブフレームとして前記第１のサブフレームの構成および前記第２のサブフレームの構成の両方によって指示されるとき、前記複数のダウンリンクＳＰＳ送信を受信することを決定することをさらに備える、請求項８に記載の方法。
【請求項１０】
前記１つまたは複数の第２のサブフレームのうちの１つのサブフレームにおいて、前記サブフレームが、ダウンリンクサブフレームとして前記第１のサブフレームの構成または前記第２のサブフレームの構成のうちの１つによって指示されるが、アップリンクサブフレームまたは特別なサブフレームのうちの少なくとも１つとして、別の構成によって指示されるとき、前記複数のダウンリンクＳＰＳ送信を受信することを省略することを決定することをさらに備える、請求項８に記載の方法。
【請求項１１】
前記１つまたは複数の第２のサブフレームのうちの１つのサブフレームにおいて、前記サブフレームが、ダウンリンクサブフレームまたは特別なサブフレームのうちの１つとして前記第１のサブフレームの構成によって指示されるとき、前記複数のダウンリンクＳＰＳ送信を受信することを決定することをさらに備える、請求項１に記載の方法。
【請求項１２】
前記ＳＰＳはアップリンクＳＰＳであり、および前記１つまたは複数の第２のサブフレームにおいて、前記複数のアップリンクＳＰＳ送信を送信するかどうかの前記決定は、少なくとも前記基準サブフレームの構成と前記第１のサブフレームの構成の両方に基づく、請求項１に記載の方法。
【請求項１３】
前記１つまたは複数の第２のサブフレームにおいて、前記複数のアップリンクＳＰＳ送信を送信するかどうかの前記決定は、動的に指示された第２のサブフレームの構成にさらに基づく、請求項１２に記載の方法。
【請求項１４】
前記１つまたは複数の第２のサブフレームのうちの少なくとも１つのサブフレームに関する複数の電力制御セットから１つの電力制御セットを決定することと、および前記決定された電力制御セットに基づいて、前記１つまたは複数の第２のサブフレームのうちの前記少なくとも１つのサブフレームにおいて、アップリンクＳＰＳ送信を送信することとをさらに備える、請求項１に記載の方法。
【請求項１５】
複数のワイヤレス通信のための装置であって、
第１のサブフレームの構成で前記装置を構成するシグナリングを受信するための手段と、
ダウンリンクハイブリッド自動リピート要求（ＨＡＲＱ）動作に関する基準サブフレームの構成を決定するための手段と、
アップリンクまたはダウンリンク  セミパーシステント  スケジューリング（ＳＰＳ）送信のうちの少なくとも１つに関するＳＰＳをアクティブ化する第１のサブフレームにおけるアクティブ化制御チャネルを受信するための手段と、
１つまたは複数の第２のサブフレームにおいて、アップリンクまたはダウンリンクＳＰＳ送信のうちの前記少なくとも１つに関するＳＰＳサブフレームセットと現在のサブフレームの構成との間のコンフリクトを検出するための手段と、ここにおいて、前記現在のサブフレームの構成は、前記第１のサブフレームの構成のｅＩＭＴＡ適応サブフレームの構成である、
前記コンフリクトを検出した後、前記第１のサブフレームの構成または前記基準サブフレームの構成のうちの少なくとも１つに基づいて、前記１つまたは複数の第２のサブフレームにおいて、複数のアップリンクＳＰＳ送信を送信するか、または複数のダウンリンクＳＰＳ送信を受信するか、を決定するための手段と、
を備える装置。
【請求項１６】
前記第１のサブフレームの構成で前記装置を構成する前記シグナリングは、システム情報ブロックに基づく、請求項１５に記載の装置。
【請求項１７】
前記１つまたは複数の第２のサブフレームにおいて、複数のアップリンクＳＰＳ送信を送信するかどうかの前記決定に少なくとも部分的に基づいて前記複数のアップリンクＳＰＳ送信を送信するための手段、または
前記１つまたは複数の第２のサブフレームにおいて、複数のダウンリンクＳＰＳ送信を受信するかどうかの前記決定に少なくとも部分的に基づいて前記複数のダウンリンクＳＰＳ送信を受信するための手段、
をさらに備える、請求項１５に記載の装置。
【請求項１８】
前記装置に関する複数のＳＰＳパラメータのセットを構成する構成を受信するための手段、ここにおいて、前記複数のＳＰＳパラメータのセットは、ＳＰＳインターバル、装置特有のアイデンティティ、ＨＡＲＱ処理の数、複数のＨＡＲＱリソースのセット、複数の電力制御パラメータのセット、暗黙のリリースに関するタイマ、または２つのインターバルの動作を制御するパラメータのうちの少なくとも１つを含み、ここにおいて、前記１つまたは複数の第２のサブフレームにおいて、複数のダウンリンクＳＰＳ送信を受信するか、または複数のアップリンクＳＰＳ送信を送信するかを決定するための前記手段は、前記複数のＳＰＳパラメータのセットの前記構成にさらに基づく、
をさらに備える、請求項１７に記載の装置。
【請求項１９】
前記アクティブ化制御チャネルは、複数のダウンリンクＳＰＳ送信または複数のアップリンクＳＰＳ送信のうちの前記少なくとも１つに関する変調およびコーディング  インジケータまたは複数のリソースのセットのうちの少なくとも１つを割り当てる、請求項１５に記載の装置。
【請求項２０】
前記第１のサブフレームの構成と異なる第２のサブフレームの構成を指示する動的なインジケータを受信するための手段をさらに備え、ここにおいて、前記第２のサブフレームの構成は、ｅＩＭＴＡ適応サブフレームの構成である、請求項１５に記載の装置。
【請求項２１】
前記ＳＰＳはダウンリンクＳＰＳであり、および前記１つまたは複数の第２のサブフレームにおいて、前記複数のダウンリンクＳＰＳ送信を受信するかどうかを決定するための前記手段は、前記第１のサブフレームの構成と前記第２のサブフレームの構成の両方に基づく、請求項２０に記載の装置。
【請求項２２】
前記１つまたは複数の第２のサブフレームのうちの１つのサブフレームにおいて、前記サブフレームが、ダウンリンクサブフレームまたは特別なサブフレームとして前記第１のサブフレームの構成および前記第２のサブフレームの構成の両方によって指示されるとき、前記複数のダウンリンクＳＰＳ送信を受信することを決定するための手段をさらに備える、請求項２１に記載の装置。
【請求項２３】
前記１つまたは複数の第２のサブフレームのうちの１つのサブフレームにおいて、前記サブフレームが、ダウンリンクサブフレームとして前記第１のサブフレームの構成または前記第２のサブフレームの構成のうちの１つによって指示されるが、アップリンクサブフレームまたは特別なサブフレームのうちの少なくとも１つとして、別の構成によって指示されるとき、前記複数のダウンリンクＳＰＳ送信を受信することを省略することを決定するための手段をさらに備える、請求項２１に記載の装置。
【請求項２４】
前記１つまたは複数の第２のサブフレームのうちの１つのサブフレームにおいて、前記サブフレームが、ダウンリンクサブフレームまたは特別なサブフレームのうちの１つとして前記第１のサブフレームの構成によって指示されるとき、前記複数のダウンリンクＳＰＳ送信を受信することを決定するための手段をさらに備える、請求項１５に記載の装置。
【請求項２５】
複数のワイヤレス通信に関する装置であって、
少なくとも１つのプロセッサと、前記少なくとも１つのプロセッサに結合されたメモリとを備え、ここにおいて、
前記少なくとも１つのプロセッサは、
第１のサブフレームの構成で前記装置を構成するシグナリングを受信することと、
ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関するＳＰＳをアクティブ化する第１のサブフレームにおけるアクティブ化制御チャネルを受信することと、
１つまたは複数の第２のサブフレームにおいて、アップリンクまたはダウンリンクＳＰＳ送信のうちの前記少なくとも１つに関するＳＰＳサブフレームセットと現在のサブフレームの構成との間のコンフリクトを検出することと、ここにおいて、前記現在のサブフレームの構成は、前記第１のサブフレームの構成のｅＩＭＴＡ適応サブフレームの構成である、
前記コンフリクトを検出した後、前記第１のサブフレームの構成または前記基準サブフレームの構成のうちの少なくとも１つに基づいて、前記１つまたは複数の第２のサブフレームにおいて、複数のアップリンクＳＰＳ送信を送信するか、または複数のダウンリンクＳＰＳ送信を受信するかを決定することと、
を行うように構成される、
装置。
【請求項２６】
その上に記憶された複数の命令を有する、ユーザ機器（ＵＥ）による複数のワイヤレス通信のためのコンピュータ可読記録媒体であって、前記複数の命令は、
第１のサブフレームの構成で前記ＵＥを構成するシグナリングを受信することと、
ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関するＳＰＳをアクティブ化する第１のサブフレームにおけるアクティブ化制御チャネルを受信することと、
１つまたは複数の第２のサブフレームにおいて、アップリンクまたはダウンリンクＳＰＳ送信のうちの前記少なくとも１つに関するＳＰＳサブフレームセットと現在のサブフレームの構成との間のコンフリクトを検出することと、ここにおいて、前記現在のサブフレームの構成は、前記第１のサブフレームの構成のｅＩＭＴＡ適応サブフレームの構成である、
前記コンフリクトを検出した後、前記第１のサブフレームの構成または前記基準サブフレームの構成のうちの少なくとも１つに基づいて、前記１つまたは複数の第２のサブフレームにおいて、複数のアップリンクＳＰＳ送信を送信するか、または複数のダウンリンクＳＰＳ送信を受信するかを決定することと、
のために１つまたは複数のプロセッサによって実行可能である、
コンピュータ可読記録媒体。
【発明の詳細な説明】
【優先権の主張】
【０００１】
[0001]本特許出願は、２０１４年３月２１日に出願された米国仮特許出願シリアル番号第６１／９６８，７９７および２０１５年３月１８日に出願された米国特許出願番号第１４／６６１，８９５の利益を請求するものであり、それらの両方は、それらの全体における参照によりここに明確に組み込まれる。
【分野】
【０００２】
[0002]本開示は一般に、ワイヤレス通信に関し、およびさらに具体的には、アップリンクおよび／またはダウンリンク送信をセミパーシステント(semi-persistent)  スケジューリングするための複数の装置および複数の方法に関する。
【背景技術】
【０００３】
[0003]複数のワイヤレス通信システムは、テレフォニー(telephony)、画像、データ、メッセージング、および複数のブロードキャストといった様々な電気通信サービスを提供するために広く展開されている。典型的な複数のワイヤレス通信システムは、複数の利用可能なシステムリソース（例えば、帯域幅、送信電力）を共有することによって、複数のユーザとの通信を支援することができる複数の多元接続技術を用いることができる。このような複数の多元接続技術の複数の例は、複数の符号分割多元接続（ＣＤＭＡ）システム、複数の時分割多元接続（ＴＤＭＡ）システム、複数の周波数分割多元接続（ＦＤＭＡ）システム、複数の直交周波数分割多元接続（ＯＦＤＭＡ）システム、複数のシングルキャリア周波数分割多元接続（ＳＣ−ＦＤＭＡ）システム、および複数の時分割同期符号分割多元接続（ＴＤ−ＳＣＤＭＡ）システムを含む。
【０００４】
[0004]これらの多元接続技術は、市政機関(municipal)、国家、地域、およびさらには地球規模で通信することを異なる複数のワイヤレスデバイスに可能にする共通のプロトコルを提供するために、様々な電気通信標準規格において採用されてきた。新興の(emerging)電気通信標準規格の例は、ロングタームエボリューション（ＬＴＥ）である。ＬＴＥ／ＬＴＥアドバンストは、第３世代パートナーシッププロジェクト（３ＧＰＰ（登録商標））によって発表された(plomulgated)ユニバーサルモバイル電気通信システム（ＵＭＴＳ）モバイル標準規格への複数の拡張のセットである。それは、スペクトル効率を高めることによってモバイル  ブロードバンド  インターネット  アクセスをいっそうよく支援し、コストを低下させ、複数のサービスを向上させ、新しいスペクトルを利用し、およびダウンリンク（ＤＬ）上のＯＦＤＭＡ、アップリンク（ＵＬ）上のＳＣ−ＦＤＭＡ、および他入力他出力（ＭＩＭＯ）アンテナ技術を使用する他の複数のオープン標準規格といっそうよく組み合わせるように設計される。しかし、モバイル  ブロードバンド  アクセスに関する需要が増え続けているため、ＬＴＥ技術におけるさらなる改良のための必要性が存在する。好ましくは、これらの改良は、他の複数の多元接続技術とこれらの技術を用いる複数の電気通信標準規格に適用可能であるべきである。
【発明の概要】
【０００５】
[0005]本開示のある特定の複数の態様は、基地局による複数のワイヤレス通信のための方法を提供する。この方法は、ユーザ機器（ＵＥ）によって実行されることができ、および一般に、第１のサブフレームの構成でＵＥを構成するシグナリングを受信することと、ダウンリンクハイブリッド自動リピート要求(hybrid automatic repeat request)（ＨＡＲＱ）動作に関する基準のサブフレームの構成を決定することと、アップリンクまたはダウンリンク  セミパーシステント  スケジューリング（ＳＰＳ）送信のうちの少なくとも１つのためにＳＰＳをアクティブ化する第１のサブフレームにおける制御チャネルを受信することと、アクティブ化制御チャネル(activating control channel)、第１のサブフレームの構成、または基準サブフレームの構成のうちの少なくとも１つに基づいて、１つまたは複数の第２のサブフレームにおいて、複数のアップリンクＳＰＳ送信を送信するか、複数のダウンリンクＳＰＳ送信を受信するかを決定することと、を含む。
【０００６】
[0006]複数の態様は一般に、添付の複数の図面によって示されるように、および関連してここに実質的に記述されるように、複数の方法、複数の装置、複数のシステム、複数のコンピュータプログラム製品、および複数の処理システムを含む。「ＬＴＥ」とは一般に、ＬＴＥおよびＬＴＥアドバンスト(ＬＴＥ-Ａ)を指す。
【図面の簡単な説明】
【０００７】
【図１】[0007]  図１は、ネットワークアーキテクチャの例を示す図である。
【図２】[0008]  図２は、アクセスネットワークの例を示す図である。
【図３】[0009]  図３は、ＬＴＥにおけるＤＬフレーム構造の例を示す図である。
【図４】[0010]  図４は、ＬＴＥにおけるＵＬフレーム構造の例を示す図である。
【図５】[0011]  図５は、ユーザおよび制御プレーンに関する無線プロトコルアーキテクチャの例を示す図である。
【図６】[0012]  図６は、本開示のある特定の複数の態様にしたがったアクセスネットワークにおける発展型ノードＢとユーザ機器の例を示す図である。
【図７】[0013]  図７は、本開示のある特定の複数の態様にしたがったアップリンク／ダウンリンクサブフレームの構成のリストを示す。
【図８】[0014]  図８は、本開示のある特定の複数の態様にしたがった例としてのサブフレームのフレームフォーマットを示す。
【図９】[0015]  図９は、アクセスネットワークにおいてＵＥ６５０と通信状態にあるｅＮＢ６１０に関する複数のフレーム構成の図である。
【図１０Ａ】[0016]  図１０Ａは、本開示のある特定の複数の態様にしたがった可能な複数のＵＬ  ＨＡＲＱ処理の例示的な数を示す。
【図１０Ｂ】[0017]  図１０Ｂは、本開示のある特定の複数の態様にしたがった例示的な複数のＴＤＤ  ＵＬ／ＤＬ構成とそれらの関連する複数のサブフレームオフセット値を示す。
【図１１】[0018]  図１１は、本開示のある特定の複数の態様にしたがった複数の可能なフレーム構成の図である。
【図１２】[0019]  図１２は、本開示のある特定の複数の態様にしたがった、ユーザ機器（ＵＥ）による複数のワイヤレス通信に関する例としての動作を示す。
【詳細な説明】
【０００８】
[0020]添付の複数の図面に関連して下記で述べられる詳細な説明は、様々な構成の説明として意図されており、およびここに記述された複数のコンセプトが実施されることができる構成のみを提示するように意図されていない。詳細な説明は、様々なコンセプトの全体を通した理解を提供する目的のための特定の複数の詳細を含む。しかし、これらのコンセプトが、これらの特定の詳細が無くても実施されることができることは、当業者にとって明白であろう。いくつかの実例において、良く知られている複数の構造および複数の構成要素は、こういった複数のコンセプトを不明瞭にすることを回避するためにブロック図形式で示される。
【０００９】
[0021]複数の電気通信システムのいくつかの態様が、これより、様々な装置および方法に関して(with reference to)提示されることになる。これらの装置および方法は、下記の詳細な説明に記述され、および様々なブロック、モジュール、構成要素、回路、ステップ、処理、アルゴリズムなど（一まとめにして「要素」と称される）によって添付の図面に示されることになる。これらの要素は、ハードウェア、ソフトウェア、またはそれらの組み合わせを使用して実装されることができる。こういった要素が、ハードウェアまたはソフトウェアとして実装されるかどうかは、全体のシステムに課せられた特定のアプリケーションと設計の制約に依存する。
【００１０】
[0022]例として、１個の要素、または１個の要素の任意の部分、または複数の要素の任意の組み合わせは、１つまたは複数のプロセッサを含む「処理システム」と共に実装されることができる。複数のプロセッサの複数の例は、本開示の全体を通して記述された様々な機能性を実行するように構成された複数のマイクロプロセッサ、複数のマイクロコントローラ、複数のデジタル信号プロセッサ（ＤＳＰｓ）、複数のフィールド  プログラマブル  ゲート  アレイ（ＦＰＧＡｓ）、複数のプログラマブル論理デバイス（ＰＬＤｓ）、複数のステートマシーン、ゲート論理、複数のディスクリートハードウェア回路、および他の適切なハードウェアを含む。処理システムにおける１つまたは複数のプロセッサは、ソフトウェアを実行(execute)することができる。ソフトウェアは、ソフトウェア／ファームウェア、ミドルウェア、マイクロコード、ハードウェア記述言語、または別の方法で称されようと、複数の命令、複数の命令のセット、コード、複数のコードセグメント、プログラムコード、複数のプログラム、複数のサブプログラム、複数のソフトウェアモジュール、複数のアプリケーション、複数のソフトウェアアプリケーション、複数のソフトウェアパッケージ、ファームウェア、複数のルーチン、複数のサブルーチン、複数のオブジェクト、複数の実行可能ファイル、実行の複数のスレッド、複数のプロシージャ、複数の関数(functions)などを意味するように広く解釈されるものとする。
【００１１】
[0023]したがって、１つまたは複数の例示的な実施形態において、記述された複数の機能(functions)は、ハードウェア、ソフトウェア、またはそれらの複数の組み合わせにおいて実装されることができる。ソフトウェアにおいて実装される場合、この複数の機能は、１つのコンピュータ可読媒体上に１つまた複数の命令またはコードとして記憶されるかまたは符号化されることができる。コンピュータ可読媒体は、コンピュータ記憶媒体を含む。記憶媒体は、コンピュータによってアクセスされることができる任意の利用可能な媒体であることができる。限定ではなく例として、こういったコンピュータ可読媒体は、複数の命令または複数のデータ構造の形式で所望のプログラムコードを搬送または記憶するために使用されることができ、およびコンピュータによってアクセスされることができるＲＡＭ、ＲＯＭ、ＥＥＰＲＯＭ（登録商標）、ＰＣＭ（相転移メモリ(phase change memory)）、フラッシュメモリ、ＣＤ−ＲＯＭまたは他の光学ディスク記憶装置、磁気ディスク記憶装置または他の複数の磁気記憶デバイス、または任意の他の媒体を備えることができる。ディスク（ｄｉｓｋ）およびディスク（ｄｉｓｃ）は、ここで使用されるように、コンパクトディスク（ＣＤ）、レーザーディスク（登録商標）、光学ディスク、デジタル多用途ディスク（ＤＶＤ）、フロッピー（登録商標）ディスク、およびＢｌｕｅ−ｒａｙディスクを含み、ここで、ディスク（ｄｉｓｋ）が通常データを磁気的に再生し、一方でディスク（ｄｉｓｃ）はレーザを用いて光学的にデータを再生する。上記の複数の組み合わせはまた、コンピュータ可読媒体の範囲内に含まれるべきである。
【００１２】
[0024]図１は、ＬＴＥネットワークアーキテクチャ１００を示す図である。ＬＴＥネットワークアーキテクチャ１００は、発展型パケットシステム（ＥＰＳ）１００と称されることができる。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータの複数のＩＰサービス１２２を含むことができる。ＥＰＳ１００は、他の複数のアクセスネットワークと相互接続することができるが、簡単のために、それらのエンティティ／インターフェースは示されていない。例示的な他の複数のアクセスネットワークは、ＩＰマルチメディアサブシステム（ＩＭＳ）ＰＤＮ、インターネットＰＤＮ、管理(Administrative)ＰＤＮ（例えば、プロビジョニング(Provisioning)ＰＤＮ）、キャリア特定のＰＤＮ、オペレータ特定のＰＤＮ、および／またはＧＰＳ  ＰＤＮを含むことができる。示されたように、ＥＰＳ１００は、複数のパケット交換サービス(packet-switched services)を提供するが、当業者が容易に理解することになるように、本開示の全体を通して提示される様々なコンセプトは、複数の回路交換サービス(circuit-switched services)を提供する複数のネットワークに拡張されることができる。
【００１３】
[0025]Ｅ−ＵＴＲＡＮは、発展型ノードＢ（ｅＮＢ）１０６および他の複数のｅＮＢｓ１０８を含む。ｅＮＢ１０６は、ＵＥ１０２に向けて(toward)ユーザおよび複数の制御プレーンプロトコルターミネーション（terminations）を提供する。ｅＮＢ１０６は、Ｘ２インターフェース（例えば、バックホール）を介して他の複数のｅＮＢｓ１０８に接続されることができる。ｅＮＢ１０６はまた、基地局、ベーストランシーバ局、無線基地局、無線トランシーバ、トランシーバ機能、基本サービスセット（ＢＳＳ）、拡張されたサービスセット（ＥＳＳ）、アクセスポイント、またはいくつかの他の適切な専門用語で参照されることができる。ｅＮＢ１０６は、ＵＥ１０２にＥＰＣ１１０へのアクセスポイントを提供することができる。複数のＵＥｓ１０２の複数の例は、セルラ電話、スマートフォン、セッション開始プロトコル（ＳＩＰ）電話、ラップトップ、パーソナル  デジタル  アシスタント（ＰＤＡ）、衛星無線、グローバル  ポジショニング  システム、マルチメディアデバイス、ビデオデバイス、デジタル  オーディオ  プレイヤ（例えば、ＭＰ３プレイヤ）、カメラ、ゲームコンソール、タブレット、ネットブック、スマートブック、ウルトラブック、または任意の他の同様に機能するデバイスを含む。ＵＥ１０２はまた、当業者によって、モバイル局、加入者局、モバイルユニット、加入者ユニット、ワイヤレスユニット、遠隔ユニット、モバイルデバイス、ワイヤレスデバイス、複数のワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、またはいくつかの他の適切な専門用語で称されることができる。
【００１４】
[0026]ｅＮＢ１０６は、Ｓ１インターフェースによってＥＰＣ１１０に接続される。ＥＰＣ１１０は、１つの移動性管理エンティティ（ＭＭＥ）１１２、他の複数のＭＭＥｓ１１４、サービングゲートウェイ１１６、およびパケットデータネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２は、ベアラ(bearer)および接続管理を提供する。すべてのユーザＩＰパケットは、サービングゲートウェイ１１６を経由して転送され、それ自体がＰＤＮゲートウェイ１１８に接続される。ＰＤＮゲートウェイ１１８は、ＵＥＩＰアドレスアロケーション、ならびに他の複数の機能を提供する。ＰＤＮゲートウェイ１１８は、オペレータの複数のＩＰサービス１２２に接続される。オペレータの複数のＩＰサービス１２２は、例えば、インターネット、イントラネット、ＩＰマルチメディアサブシステム（ＩＭＳ）、およびＰＳ（パケット交換）ストリーミングサービス（ＰＳＳ）を含むことができる。この仕方において、ＵＥ１０２は、ＬＴＥネットワークを経由してＰＤＮに結合されることができる。
【００１５】
[0027]図２は、ＬＴＥネットワークアーキテクチャにおけるアクセスネットワーク２００の例を示す図である。この例において、アクセスネットワーク２００は、多数のセルラ領域（複数のセル）２０２に分割される。１つまたは複数のより低い電力クラスのｅＮＢｓ２０８は、複数のセル２０２のうちの１つまたは複数と重複する複数のセルラ領域２１０を有することができる。より低い電力クラスのｅＮＢ２０８は、遠隔無線ヘッド（ＲＲＨ）と称されることができる。より低い電力クラスのｅＮＢ２０８は、フェムトセル（例えば、ホームｅＮＢ（ＨｅＮＢ））、ピコセル、またはマイクロセルであることができる。複数のマクロｅＮＢｓ２０４は各々、それぞれのセル２０２に割り当てられ、および複数のセル２０２における全てのＵＥｓ２０６にＥＰＣ１１０へのアクセスポイントを提供するように構成される。このアクセスネットワーク２００の例には、集中型（centralized）コントローラは存在しないが、集中型コントローラは、複数の代替の構成において使用されることができる。ｅＮＢｓ２０４は、無線ベアラ制御(radio bearer control)、アドミッション制御(admission control)、移動性制御、スケジューリング、セキュリティ、およびサービングゲートウェイ１１６への接続性を含むすべての無線関連機能を担う。ネットワーク２００はまた、１つまたは複数の中継器（図示されていない）を含むことができる。１つのアプリケーションにしたがって、ＵＥは中継器としてサービスすることができる。
【００１６】
[0028]アクセスネットワーク２００によって用いられる変調および多元接続スキーム(scheme)は、特定の複数の電気通信標準規格が展開されていることに依存して変化することができる。複数のＬＴＥアプリケーションにおいて、周波数分割複信(time division duplexing)（ＦＤＤ）および時分割複信（ＴＤＤ）の両方を支援するために、ＳＣ−ＦＤＭＡはＵＬ上で使用され、およびＯＦＤＭはＤＬ上で使用される。当業者が次に続く詳細な説明から容易に理解することになるように、ここに提示される様々なコンセプトは、複数のＬＴＥアプリケーションのために非常に適している。しかし、これらのコンセプトは、他の変調および複数の多元接続技法を用いる他の複数の電気通信標準規格に容易に拡張されることができる。例として、これらのコンセプトは、発展−データ最適化（ＥＶ−ＤＯ）またはウルトラモバイルブロードバンド（ＵＭＢ）に拡張されることができる。ＥＶ−ＤＯおよびＵＭＢは、複数の標準規格のＣＤＭＡ２０００ファミリの一部として第３世代パートナーシッププロジェクト２（３ＧＰＰ２）によって発表された(promulgated)複数のエアインターフェース標準規格であり、および複数のモバイル局にブロードバンドインターネットアクセスを提供するためにＣＤＭＡを用いる。これらのコンセプトはまた、ＴＤ−ＳＣＤＭＡのような広帯域−ＣＤＭＡ（Ｗ−ＣＤＭＡ（登録商標））およびＣＤＭＡの他の複数の変形を用いるユニバーサル地上無線アクセス（ＵＴＲＡ）；ＴＤＭＡを用いる複数のモバイル通信のためのグローバルシステム（ＧＳＭ（登録商標））；およびＯＦＤＭＡを用いるフラッシュ−ＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、ウルトラ  モバイル  ブロードバンド（ＵＭＢ）および発展型ＵＴＲＡ（Ｅ−ＵＴＲＡ）、に拡張されることができる。ＵＴＲＡ、Ｅ−ＵＴＲＡ、ＵＭＴＳ、ＬＴＥ、およびＧＳＭは、３ＧＰＰ機構からの複数の文書に記述されている。ＣＤＭＡ２０００およびＵＭＢは、３ＧＰＰ２機構からの複数の文書に記述されている。用いられる実際のワイヤレス通信の標準規格および多元接続技術は、特定のアプリケーションとシステムに課せられる全体の設計制約に依存することになる。
【００１７】
[0029]複数のｅＮＢｓ２０４は、ＭＩＭＯ技術を支援する複数のアンテナを有することができる。ＭＩＭＯ技術の使用は、空間多重化、ビームフォーミング、および送信ダイバシティを支援するために空間ドメインを利用することを複数のｅＮＢｓ２０４に可能にする。空間多重化は、同じ周波数上でデータの異なる複数のストリームを同時に送信するために使用されることができる。複数のデータストリームは、データレートを増加(increase)させるために単一のＵＥ２０６に、または全体のシステム容量を増大(increase)させるために複数のＵＥｓ２０６に送信されることができる。これは、各データストリームを空間的にプリコーディングすること（例えば、振幅および位相のスケーリングを適用すること）、次に空間的にプリコーディングされた各ストリームをＤＬ上で複数の送信アンテナを経由して送信することによって達成される。空間的にプリコーディングされた複数のデータストリームは異なる複数の空間シグネチャと共にＵＥ（複数）２０６に到着し、それは、そのＵＥ２０６に向けられた１つまたは複数のデータストリームを復元することをＵＥ（複数）２０６の各々に可能にする。ＵＬ上で、各ＵＥ２０６は、空間的にプリコーディングされたデータストリームを送信し、それは、各空間的にプリコーティングされたデータストリームのソースを識別することをｅＮＢ２０４に可能にする。
【００１８】
[0030]空間多重化は一般に、複数のチャネル状態が良いときに使用される。複数のチャネル状態がそれ程良好(favorable)でないときには、ビームフォーミングが１つまたは複数の方向に送信エネルギーを集中させるために使用されることができる。これは、複数のアンテナを経由した送信のためにデータを空間的にプリコーディングすることによって達成されることができる。セルの複数の端部で良いカバレッジを達成するために、単一のストリームビームフォーミング送信(single stream beaforming transmission)が送信ダイバシティと組み合わせて使用されることができる。
【００１９】
[0031]続く詳細な説明において、アクセスネットワークの様々な態様が、ＤＬ上でＯＦＤＭを支援するＭＩＭＯシステムに関連して説明されることになる。ＯＦＤＭは、ＯＦＤＭシンボル内の多数のサブキャリアを介してデータを変調するスペクトル拡散技法(spread-spectrum technique)である。複数のサブキャリアは、複数の正確な周波数(precise frequencies)で間隔が空けられる。間隔を空けることは、複数のサブキャリアからデータを復元することを受信機に可能にする「直交性」をもたらす。時間ドメインにおいて、ガードインターバル（例えば、サイクリックプリフィクス）は、ＯＦＤＭ−シンボル間干渉(inter-OFDM-symbol interference)と闘う(combat)ために、各ＯＦＤＭシンボルに追加されることができる。ＵＬは、高いピーク対平均電力比(peak-to-average power ratio)（ＰＡＰＲ）を補償するために、ＤＦＴ−拡散ＯＦＤＭ信号の形式でＳＣ−ＦＤＭＡを使用することができる。
【００２０】
[0032]図３は、ＬＴＥにおけるＤＬフレーム構造の例を示す図３００である。１個のフレーム（１０ｍｓ）は、０から９までのインデックスによって１０個の等しいサイズのサブフレームに分割されることができる。各サブフレームは、２個の連続するタイムスロットを含むことができる。リソースグリッドは、２個のタイムスロットを表すために使用されることができ、各タイムスロットは１個のリソースブロックを含む。リソースグリッドは、複数のリソース要素に分割される。ＬＴＥにおいて、１個のリソースブロックは、周波数ドメインにおける１２個の連続するサブキャリアと、各ＯＦＤＭシンボルにおける１個のノーマルサイクリックプリフィックスに関しては、時間ドメインにおける７個の連続するＯＦＤＭシンボル、すなわち８４個のリソース要素を含む。拡張されたサイクリックプリフィックスに関して、１個のリソースブロックは、時間ドメインにおける６個の連続するＯＦＤＭシンボルを含み、および７２個のリソース要素を有する。Ｒ３０２、Ｒ３０４として示されるように、複数のリソース要素のいくつかは、複数のＤＬ基準信号（ＤＬ−ＲＳ）を含む。ＤＬ−ＲＳは、セル特定ＲＳ（ＣＲＳ）（時によって共通ＲＳとも呼ばれる）３０２、およびＵＥ特定ＲＳ（ＵＥ−ＲＳ）３０４を含む。ＵＥ−ＲＳ３０４は、その上で対応する物理ＤＬ共有チャネル（ＰＤＳＣＨ）がマッピングされる複数のリソースブロック上だけで送信される。各リソース要素によって搬送されるビットの数は、変調スキームに依存する。したがって、ＵＥが受信するリソースブロックが多いほど、および変調スキームが高度であるほど、このＵＥに関するデータレートは高くなる。
【００２１】
[0033]ＬＴＥにおいて、ｅＮＢは、そのｅＮＢ内の各セルに関する１次同期信号（ＰＳＳ）と２次同期信号（ＳＳＳ）を送ることができる。１次および２次同期信号は、ノーマルサイクリックプレフィックス（ＣＰ）を有する各無線フレームのサブフレーム０および５の各々における、シンボル期間６と５においてそれぞれ送られることができる。複数の同期信号は、セル決定および獲得(acquisition)のために複数のＵＥｓによって使用されることができる。ｅＮＢは、サブフレーム０のスロット１におけるシンボル期間０から３において物理ブロードキャストチャネル（ＰＢＣＨ）を送ることができる。ＰＢＣＨは、ある特定のシステム情報を搬送することができる。
【００２２】
[0034]ｅＮＢは、各サブフレームの第１のシンボル期間において物理制御フォーマット  インジケータ  チャネル（ＰＣＦＩＣＨ）を送ることができる。ＰＣＦＩＣＨは、複数の制御チャネルのために使用される複数のシンボル期間の数（Ｍ）を搬送することができ、ここで、Ｍは１、２または３に等しくあり得、およびサブフレームからサブフレームに変化することができる。Ｍはまた、例えば１０個より少ないリソースブロックを有する小さいシステム帯域幅に関しては、４に等しくあり得る。ｅＮＢは、各サブフレームの最初のＭ個のシンボル期間において物理ダウンリンク制御チャネル（ＰＤＣＣＨ）と物理ＨＡＲＱインジケータ  チャネル（ＰＨＩＣＨ）を送ることができる。ＰＨＩＣＨは、ハイブリッド自動リピート要求（ＨＡＲＱ）を支援するための情報を搬送することができる。ＰＤＣＣＨは、複数のＵＥｓへのリソースアロケーションについての情報と、複数のダウンリンクチャネルに関する制御情報を搬送することができる。ｅＮＢは、各サブフレームの残りの複数のシンボル期間において物理ダウンリンク共有チャネル（ＰＤＳＣＨ）を送ることができる。ＰＤＳＣＨは、ダウンリンク上のデータ送信に関してスケジュールされた複数のＵＥｓに関するデータを搬送することができる。
【００２３】
[0035]ｅＮＢは、ｅＮＢによって使用されるシステム帯域幅の中心１.０８ＭＨｚにおいて、ＰＳＳ、ＳＳＳおよびＰＢＣＨを送ることができる。ｅＮＢは、ＰＣＦＩＣＨとＰＨＩＣＨを、ここにおいてこれらのチャネルが送られる各シンボル期間において、全システム帯域幅にわたって送ることができる。ｅＮＢは、システム帯域幅のある特定の複数の部分において複数のＵＥｓの複数のグループにＰＤＣＣＨを送ることができる。ｅＮＢは、システム帯域幅の特定の複数の部分において特定の複数のＵＥｓにＰＤＳＣＨを送ることができる。ｅＮＢは、全てのＵＥｓにブロードキャスト方式(manner)でＰＳＳ、ＳＳＳ、ＰＢＣＨ、ＰＣＦＩＣＨおよびＰＨＩＣＨを送ることができ、特定の複数のＵＥｓにユニキャスト方式(manner)でＰＤＣＣＨを送ることができ、および同様に、特定の複数のＵＥｓにユニキャスト方式(manner)でＰＤＳＣＨを送ることができる。
【００２４】
[0036]多数のリソース要素は各シンボル期間において利用可能である)。各リソース要素(ＲＥ)は、１個のシンボル期間において１個のサブキャリアをカバーすることができ、および１個の変調シンボルを送るために使用されることができ、それは、実数または複素数値(a real or complex value)であることができる。各シンボル期間において、１個の基準信号のために使用されない複数のリソース要素は、複数のリソース要素グループ（ＲＥＧｓ）内に配列(arranged into)されることができる。各ＲＥＧは、１個のシンボル期間に４個のリソース要素を含むことができる。ＰＣＦＩＣＨは４個のＲＥＧｓを占有することができ、それらはシンボル期間０において周波数にわたってほぼ均等に間隔が空けられることができる。ＰＨＩＣＨは、３個のＲＥＧｓを占有することができ、それらは１つまたは複数の構成可能なシンボル期間において、周波数にわたって広げられる（spread）ことができる。例えば、ＰＨＩＣＨに関する３個のＲＥＧｓは全て、シンボル期間０に属することができるか、またはシンボル期間０、１および２に広げられることができる。ＰＤＣＣＨは、９個、１８個、３６個、または７２個のＲＥＧｓを占有することができ、それらは、例えば、最初のＭ個のシンボル期間において、利用可能な複数のＲＥＧｓから選択されることができる。複数のＲＥＧｓのある特定の複数の組み合わせのみがＰＤＣＣＨに許容されることができる。現在の複数の方法および複数の装置の複数の態様において、１個のサブフレームは、１個より多いＰＤＣＣＨを含むことができる。
【００２５】
[0037]ＵＥは、ＰＨＩＣＨおよびＰＣＦＩＣＨのために使用される特定の複数のＲＥＧｓを知ることができる。ＵＥは、ＰＤＣＣＨに関する複数のＲＥＧｓの異なる複数の組み合わせを探索(search)することができる。探索すべき組み合わせの数は、典型的に、ＰＤＣＣＨのために許容される組み合わせの数よりも少ない。ｅＮＢは、ＵＥが探索することになる複数の組み合わせのいずれかにおいて、ＵＥにＰＤＣＣＨを送ることができる。
【００２６】
[0038]図４は、ＬＴＥにおけるＵＬフレーム構造の例を示す図４００である。ＵＬのための利用可能な複数のリソースブロックは、データセクションと制御セクションとに区分されることができる。制御セクションは、システム帯域幅の２つの端部に形成されることができ、および構成可能なサイズを有することができる。制御セクションにおける複数のリソースブロックは、制御情報の送信のために複数のＵＥｓに割り当てられることができる。データセクションは、制御セクション内に含まれないすべてのリソースブロックを含むことができる。ＵＬフレーム構造は、連続する複数のサブキャリアを含むデータセクションをもたらし、それは、データセクションにおける全ての連続する複数のサブキャリアを割り当てられることを単一のＵＥに可能にすることができる。
【００２７】
[0039]ＵＥは、ｅＮＢに制御情報を送信するために、制御セクションにおけるリソースブロック４１０ａ、４１０ｂを割り当てられることができる。ＵＥはまた、ｅＮＢにデータを送信するために、データセクションにおけるリソースブロック４２０ａ、４２０ｂを割り当てられることができる。ＵＥは、制御セクションにおける割り当てられたリソースブロック４１０ａ、４１０ｂ上の物理ＵＬ制御チャネル（ＰＵＣＣＨ）において制御情報を送信することができる。ＵＥは、データセクションにおける割り当てられたリソースブロック４２０ａ、４２０ｂ上の物理ＵＬ共有チャネル（ＰＵＳＣＨ）において、データのみ、またはデータと制御情報の両方を送信することができる。ＵＬ送信は、１個のサブフレームの両方のスロットにまたがることができ、および周波数にわたってホップすることができる。
【００２８】
[0040]複数のリソースブロックのセットは、物理ランダムアクセスチャネル（ＰＲＡＣＨ）４３０において、初期システムアクセスを実行し、およびＵＬ同期を達成するために使用されることができる。ＰＲＡＣＨ４３０は、ランダムシーケンスを搬送し、およびいずれのＵＬデータ／シグナリングも搬送することはできない。各ランダムアクセスプリアンブルは、６個の連続するリソースブロックに対応する１つの帯域幅を占有する。開始周波数(starting frequency)はネットワークによって指定(specified)される。すなわち、ランダム  アクセス  プリアンブルの送信は、ある特定の時間および周波数リソースに限定される。ＰＲＡＣＨに関するいずれの周波数ホッピングも存在しない。ＰＲＡＣＨ試みは、単一のサブフレーム（１ｍｓ）において、または少数の連続するサブフレームのシーケンスにおいて搬送され、およびＵＥは、フレーム（１０ｍｓ）毎に単一のＰＲＡＣＨ試みのみを行うことができる。
【００２９】
[0041]図５は、ＬＴＥにおけるユーザおよび制御プレーンに関する無線プロトコルアーキテクチャの例を示す図５００である。ＵＥおよびｅＮＢに関する無線プロトコルアーキテクチャは、３つのレイヤ：レイヤ１、レイヤ２、およびレイヤ３を用いて示される。レイヤ１（Ｌ１レイヤ）は、最下位レイヤであり、および様々な物理レイヤ信号処理機能を実装する。Ｌ１レイヤは、ここでは物理レイヤ５０６と称されることになる。レイヤ２（Ｌ２レイヤ）５０８は、物理レイヤ５０６より上にあり、および物理レイヤ５０６を介したＵＥとｅＮＢとの間のリンクを担う。
【００３０】
[0042]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンス(convergence)プロトコル（ＰＤＣＰ）５１４サブレイヤを含み、それらはネットワーク側のｅＮＢでターミネートされる(terminated)。示されていないが、ＵＥは、ネットワーク側上のＰＤＮゲートウェイ１１８でターミネートされる１つのネットワークレイヤ（例えば、ＩＰレイヤ）および接続の他端（例えば、遠い端のＵＥ、サーバなど）でターミネートされる１つのアプリケーションレイヤを含むＬ２レイヤ５０８より上のいくつかの上位レイヤを有することができる。
【００３１】
[0043]ＰＤＣＰサブレイヤ５１４は、異なる複数の無線ベアラ(bearers)と複数の論理チャネルとの間の多重化を提供する。ＰＤＣＰサブレイヤ５１４はまた、無線送信のオーバヘッドを低減するための複数の上位レイヤのデータパケットに関するヘッダ圧縮、複数のデータパケットを暗号化することによるセキュリティ、および複数のｅＮＢの間の複数のＵＥｓのためのハンドオーバー支援を提供する。ＲＬＣサブレイヤ５１２は、複数の上位レイヤのデータパケットのセグメンテーションおよびリアセンブリ、複数の損失データパケットの再送信、およびハイブリッド自動リピート要求（ＨＡＲＱ）に起因する順序が乱れた(out-of-order)受信を補償するための複数のデータパケットの並べ替えを提供する。ＭＡＣサブレイヤ５１０は、論理およびトランスポートチャネルの間の多重化を提供する。ＭＡＣサブレイヤ５１０はまた、複数のＵＥｓの間で１個のセルにおける様々な無線リソース（例えば、複数のリソースブロック）をアロケートすることを担う。ＭＡＣサブレイヤ５１０はまた、複数のＨＡＲＱ動作を担う。
【００３２】
[0044]制御プレーンにおいて、ＵＥおよびｅＮＢに関する無線プロトコルアーキテクチャは、制御プレーンに関するいずれのヘッダ圧縮機能も無いことを除き、物理レイヤ５０６およびＬ２レイヤ５０８に関して実質的に同じである。制御プレーンはまた、レイヤ３（Ｌ３レイヤ）において無線リソース制御（ＲＲＣ）サブレイヤ５１６を含む。ＲＲＣサブレイヤ５１６は、複数の無線リソース（すなわち、複数の無線ベアラ）を取得すること、およびｅＮＢとＵＥとの間のＲＲＣシグナリングを使用して複数の下位レイヤを構成することを担う。
【００３３】
[0045]図６は、アクセスネットワークにおいてＵＥ６５０と通信状態にあるｅＮＢ６１０のブロック図である。ＤＬにおいて、コアネットワークからの複数の上位レイヤパケットは、コントローラ／プロセッサ６７５に提供される。コントローラ／プロセッサ６７５はＬ２レイヤの機能性を実装する。ＤＬにおいて、コントローラ／プロセッサ６７５は、ヘッダ圧縮、暗号化、パケットセグメンテーションおよび並べ替え、論理およびトランスポートチャネルとの間の多重化、および様々な優先メトリック(priority metorics)に基づいたＵＥ６５０への複数の無線リソースアロケーションを提供する。コントローラ／プロセッサ６７５はまた、複数のＨＡＲＱ動作、複数の損失パケットの再送、およびＵＥ６５０へのシグナリングを担う。
【００３４】
[0046]ＴＸプロセッサ６１６は、Ｌ１レイヤ（すなわち、物理レイヤ）に関する様々な信号処理機能を実装する。複数の信号処理機能は、ＵＥ６５０におけるフォワード誤り訂正（ＦＥＣ）を容易にするためのコーディングおよびインターリービング、様々な変調スキーム（例えば、２値位相偏移変調（ＢＰＳＫ）、４値位相偏移変調（ＱＰＳＫ）、Ｍ値位相偏移変調（Ｍ−ＰＳＫ）、Ｍ値直交振幅変調(M-quadrature amplitude modulation)（Ｍ−ＱＡＭ））に基づく複数の信号コンステレーション(signal constellation)へのマッピングを含む。コーディングおよび変調された複数のシンボルは次に、複数の並行したストリームに分けられる。各ストリームは次に、１個のＯＦＤＭサブキャリアにマッピングされ、時間および／または周波数ドメインにおいて１個の基準信号（例えば、パイロット）で多重化され、および次に、時間ドメインＯＦＤＭシンボルストリームを搬送する物理チャネルを作り出すために、逆高速フーリエ変換（ＩＦＦＴ）を使用して、共に合成される。ＯＦＤＭストリームは、複数の空間ストリームを作り出すために空間的にプリコーディングされる。チャネル推定器６７４からの複数のチャネル推定は、コーディングおよび変調スキームを決定するため、ならびに空間処理のために使用されることができる。チャネル推定は、ＵＥ６５０によって送信された基準信号および／またはチャネル条件フィードバックから導出されることができる。各空間ストリームは次に、別個の送信機６１８ＴＸを介して異なるアンテナ６２０に提供される。各送信機６１８ＴＸは、送信のためのそれぞれの空間ストリームでＲＦキャリアを変調する。
【００３５】
[0047]ＵＥ６５０において、各受信機６５４ＲＸは、それのそれぞれのアンテナ６５２を経由して信号を受信する。各受信機６５４ＲＸは、ＲＦキャリア上に変調された情報を復元し、および受信機（ＲＸ）プロセッサ６５６にその情報を提供する。ＲＸプロセッサ６５６は、Ｌ１レイヤの様々な信号処理機能を実装する。ＲＸプロセッサ６５６は、ＵＥ６５０に向けられたどの空間ストリームも復元するために、その情報に対して(on)空間処理を実行する。複数の空間ストリームがＵＥ６５０に向けられる場合、それらは、ＲＸプロセッサ６５６によって、単一のＯＦＤＭシンボルストリームに合成されることができる。ＲＸプロセッサ６５６は次に、高速フーリエ変換（ＦＦＴ）を使用して、時間ドメインから周波数ドメインにＯＦＤＭシンボルストリームを変換する。周波数ドメイン信号は、ＯＦＤＭ信号の各サブキャリア関して別個の(separate)ＯＦＤＭシンボルストリームを備える。各サブキャリア上の複数のシンボルと基準信号は、ｅＮＢ６１０によって送信された最もありそうな複数の信号コンステレーションポイントを決定することによって復元および復調される。これらの軟判定は、チャネル推定器６５８によってコンピュータ計算された複数のチャネル推定に基づくことができる。これらの軟判定は次に、物理チャネル上でｅＮＢ６１０によって最初に送信された複数の制御信号およびデータを復元するために、復号およびデインタリーブされる(deinterleaved)。データおよび複数の制御信号は次に、コントローラ／プロセッサ６５９に提供される。
【００３６】
[0048]コントローラ／プロセッサ６５９はＬ２レイヤを実装する。コントローラ／プロセッサは、複数のプログラムコードおよびデータを記憶するメモリ６６０と関連付けられることができる。メモリ６６０はコンピュータ可読媒体と称されることができる。ＵＬにおいて、コントロール／プロセッサ６５９は、コアネットワークから複数の上位レイヤパケットを復元するために、トランスポートおよび複数の論理チャネルの間の逆多重化、パケットの再アセンブリ、暗号解読、ヘッダ解凍、制御信号処理を提供する。複数の上位レイヤパケットは次に、データシンク６６２に提供され、それはＬ２レイヤより上のすべてのプロトコルレイヤを表す。様々な制御信号はまた、Ｌ３処理のためにデータシンク６６２に提供されることができる。コントローラ／プロセッサ６５９はまた、複数のＨＡＲＱ動作を支援するために、肯定応答（ＡＣＫ）および／または否定応答（ＮＡＣＫ）プロトコルを使用した誤り検出を担う。
【００３７】
[0049]ＵＬにおいて、データソース６６７は、複数の上位レイヤパケットをコントローラ／プロセッサ６５９に提供するために使用される。データソース６６７は、Ｌ２レイヤより上のすべてのプロトコルレイヤを表す。ｅＮＢ６１０によるＤＬ送信に関連して記述された機能性と同様に、コントローラ／プロセッサ６５９は、ヘッダ圧縮、暗号化、パケットのセグメンテーションおよび並べ替えを提供すること、ならびにｅＮＢ６１０による複数の無線リソースアロケーションに基づいて論理およびトランスポートチャネルの間で多重化することによって、ユーザプレーンおよび制御プレーンに関するＬ２レイヤを実装する。コントローラ／プロセッサ６５９はまた、複数のＨＡＲＱ動作、複数の損失パケットの再送信、およびｅＮＢ６１０へのシグナリングを担う。
【００３８】
[0050]ｅＮＢ６１０によって送信された基準信号またはフィードバックからチャネル推定器６５８によって導出された複数のチャネル推定は、適切なコーディングおよび変調スキームを選択するため、および空間処理を容易にするために、ＴＸプロセッサ６６８によって使用されることができる。ＴＸプロセッサ６６８によって生成された複数の空間ストリームは、別個の複数の送信機６５４ＴＸを介して異なるアンテナ６５２に提供される。各送信機６５４ＴＸは、送信のためのそれぞれの空間ストリームでＲＦキャリアを変調する。
【００３９】
[0051]ＵＬ送信は、ＵＥ６５０における受信機機能に関連して記述されたのと同様の仕方でｅＮＢ６１０において処理される。各受信機６１８ＲＸは、それのそれぞれのアンテナ６２０を経由して１個の信号を受信する。各受信機６１８ＲＸは、ＲＦキャリア上に変調された情報を復元し、およびＲＸプロセッサ６７０にその情報を提供する。ＲＸプロセッサ６７０はＬ１レイヤを実装することができる。
【００４０】
[0052]コントローラ／プロセッサ６７５はＬ２レイヤを実装する。コントローラ／プロセッサ６７５は、複数のプログラムコードおよびデータを記憶するメモリ６７６に関連付けられることができる。メモリ６７６はコンピュータ可読媒体と称されることができる。ＵＬにおいて、コントロール／プロセッサ６７５は、ＵＥ６５０から複数の上位レイヤパケットを復元するために、トランスポートおよび論理チャネルとの間の逆多重化、パケットの再アセンブリ、暗号解読、ヘッダ解凍(header decompression)、制御信号処理を提供する。コントローラ／プロセッサ６７５からの複数の上位レイヤパケットは、コアネットワークに提供されることができる。コントローラ／プロセッサ６７５はまた、複数のＨＡＲＱ動作を支援するために、ＡＣＫおよび／またはＮＡＣＫプロトコルを使用した誤り検出を担う。コントローラ／プロセッサ６７５および６５９は、ｅＮＢ６１０およびＵＥ６５０における動作をそれぞれ指示(direct)することができる。ＵＥ６５０におけるコントローラ／プロセッサ６５９および／または他の複数のプロセッサおよび複数のモジュールは、図１０における複数の動作、例えば複数の動作１０００、および／または、例えば、ここに記述された複数の技法に関する他の複数の処理を実行または指示することができる。ｅＮＢ６１０におけるコントローラ／プロセッサ６５７および／または他の複数のプロセッサおよび複数のモジュールは、ＬＴＥネットワークにおけるトラフィック適応のための進化型干渉管理（ｅＩＭＴＡ）にセミパーシステント  スケジューリング支援を提供するための複数の動作を実行または指示することができる。複数の態様において、図６に示された複数の構成要素の任意のもののうちの１つまたは複数は、ここに記述された複数の技法に関する例としての複数の動作１０００および／または他の複数の処理を実行するために用いられることができる。
ＬＴＥにおけるｅＩＭＴＡに関するセミパーシステント  スケジューリング
[0053]ＬＴＥにおいて、アップリンクおよびダウンリンクサブフレーム方向のための異なる複数の構成は、周波数分割複信（ＦＤＤ）および時分割複信（ＴＤＤ）のフレーム構成の両方に関して支援される。
【００４１】
[0054]図７は、ＴＤＤに関して支援される７個の可能なダウンリンク（ＤＬ）およびアップリンク（ＵＬ）サブフレームの構成を示す。各ＤＬ／ＵＬサブフレームの構成は、関連するスイッチ−ポイント(switch-point)周期性を有することができ、それは、５または１０ミリ秒のいずれかであることができる。各サブフレームは、アップリンク、ダウンリンク、または特別なサブフレームのいずれかであることができる。表から明らかなように、５ミリ秒の切換(switching)周期性を有する１個のサブフレームの構成に関して、１個のフレーム内に２個の特別なサブフレームが存在する。１０ミリ秒の切換(switching)周期性を有するサブフレームの構成に関して、１個のフレーム内に１個の特別なサブフレームが存在する。
【００４２】
[0055]図８は、ＬＴＥ  ＴＤＤに関する例としてのフレーム構造８００を示す。図７に示されたように、１０ｍｓの無線フレーム８０２は、１０個のスロットまたは８個のスロット（例えば、スロット８０６）プラス特別なサブフレーム８０８における３個の特別なフィールドＤｗＰＴＳ（ダウンリンク  パイロット  タイムスロット、ＧＰ（ガードインターバル）およびＵｐＰＴＳ（アップリンク  パイロット  タイムスロット）から成る各ハーフフレームを有する等しい長さ（例えば、５ｍｓ）の２個のハーフフレーム８０４から成る。各スロット８０６は、長さ０．５ｍｓであり、および２個の連続するスロットが、まさに１個のサブフレーム８１０を形成する。
【００４３】
[0056]いくつかのケースにおいて、ＵＥは、相違し、コンフリクトする可能性がある複数のサブフレームの構成で構成されることができる。例えば、図９は、アクセスネットワークにおいてＵＥと通信状態にあるｅＮＢに関する複数のフレーム構成の図であり、ここにおいて、ＵＥは、第１のサブフレームの構成を検出し（例えば、ＳＩＢ１においてブロードキャストする）、複数のＨＡＲＱ動作に関する参照のために第２のサブフレームの構成、および変化している複数の状況(changing conditions)に動的に合わせるための(adjust to)第３のサブフレームの構成に依存することができる。
【００４４】
[0057]これは、例えば、ＬＴＥ  Ｒｅｌ−１２において、実際のトラフィックのニーズに基づいて、複数のＴＤＤ  ＤＬ／ＵＬサブフレームの構成に動的に適応させるために可能であり、それはまた、トラフィック適応のための進化型干渉管理（ｅＩＭＴＡ）として知られている。例えば、ある特定の複数の態様にしたがって、短い持続期間中に、ダウンリンク上で大きいデータのバーストが必要とされる場合、サブフレームの構成は、例えば、６個のＤＬサブフレームと４個のＵＬサブフレームを有するフレームＮにおけるＳＩＢ１指定の構成＃１から８個のＤＬサブフレームと２個のＵＬサブフレームを有し、１個のＵＬサブフレームがサブフレーム２にあり、２番目のＵＬサブフレームがサブフレーム７にあるフレームＮ＋Ｘにおける構成＃２に変更されることができる。
【００４５】
[0058]この例を続けると、サブフレームの構成は次に、同じく８個のＤＬサブフレームと２個のＵＬサブフレームを有するフレームＮ＋Ｙにおける構成４に変更されることができるが、これらのＵＬサブフレームは、サブフレーム２と３に存在する。ある特定の複数の態様にしたがって、ＴＤＤ構成の適応は６４０ｍｓより遅くないと予測される。極端なケースでは、適応は１０ｍｓと同じくらい速くあり得る(may)。さらに、ＴＤＤ  ＤＬ/ＵＬサブフレームの構成の動的な表示(indication)は、ＵＥ−グループ−共通のＰＤＣＣＨによる再構成の明示的なレイヤ１シグナリングによって行われることができる。
【００４６】
[0059]さらに、適応は、ＤＬおよびＵＬハイブリッド自動リピート要求（ＨＡＲＱ）タイミング管理においていくらかの複雑さを生じさせ得る。ＨＡＲＱリソース管理を簡単にするために、基準ＤＬ／ＵＬサブフレームの構成が使用されることができる。例えば、ＵＬ  ＨＡＲＱに関して、スケジューリングとＨＡＲＱタイミングは、システム情報ブロック１（ＳＩＢ１）において指示されたようなＤＬ／ＵＬサブフレームの構成に基づくことができる。ＤＬ  ＨＡＲＱに関して、ＵＥは、（フレームＮ、Ｎ＋ＸおよびＮ＋Ｙに示されたように、）構成＃２、＃４、または＃５から取得された１個の基準構成を使用するように指示されることができる。
【００４７】
[0060]ｅＩＭＴＡにおいて、いくつかのサブフレームは、複数の送信方向の動的な変更に晒されることができず、その一方で他のサブフレームは、複数の動的な適応に晒されることができる。一般に、ＳＩＢ１におけるＴＤＤ  ＤＬ/ＵＬサブフレームの構成における複数のＤＬサブフレームは、動的な適応に晒されることができず、その一方でＤＬ  ＨＡＲＱ基準構成における複数のＵＬサブフレームは、動的な適応に晒されることができないことが理解される。例えば、ｅＩＭＴＡにおいて、フレームＮ＋Ｙに関して、サブフレーム０、４、５、および９は、ＳＩＢ１構成と一致する(consistent with)複数のＤＬサブフレームであり、その一方でサブフレーム２は、ＤＬ  ＨＡＲＱ基準構成と一致する１個のＵＬサブフレームとして構成される。
【００４８】
[0061]セミパーシステント  スケジューリング（ＳＰＳ）は、ＤＬおよび／または複数の送信をスケジュールするための制御−オーバヘッドの有効な方法であることができる。ＤＬ（またはＵＬ）の第１の送信は、物理ダウンリンク制御チャネル（ＰＤＣＣＨ）または拡張されたＰＤＣＣＨ（ＥＰＤＣＣＨ）によってアクティブ化されることができ、およびアクティブ化された（すなわち構成された）複数の送信は、ＳＰＳがリリースされない（すなわち非アクティブ化されない）限り、周期的な複数のＤＬ（ＵＬ）サブフレームのセットにわたって生じることができる。ある特定の複数の態様にしたがって、複数の再送信は、動的なスケジューリングケースと同じスケジューリング方法を使用することができる。
【００４９】
[0062]ある特定の複数の態様にしたがって、ＤＬ  ＳＰＳおよびＵＬ  ＳＰＳは、別個に構成されることができる。ＤＬ  ＳＰＳとＵＬ  ＳＰＳの両方がＵＥに関して構成される場合、同じＳＰＳセル無線ネットワーク一時的識別子（Ｃ−ＲＮＴＩ）が両方のために使用されることができる。ＤＬ  ＳＰＳの周期性は、次の値：｛１０，２０，４０，８０，１６０，３２０，６４０｝ｍｓおよび｛３２，６４，１２８｝ｍｓを取ることができる。ある特定の複数の態様にしたがって、単一の周期性の値はＵＥに関して構成されることができる。
【００５０】
[0063]ＤＬ  ＳＰＳのアクティブ化後（すなわち、ＳＰＳ  ＤＬ割り当てが構成された後）、新しいトランスポートブロックは、ＤＬ  ＳＰＳが非アクティブ化されるまで、次の複数のサブフレームの各々におけるアクティブ化された複数のＤＬ  ＳＰＳパラメータ（すなわち構成されたＤＬ送信）に基づいて送信されることができる：
【００５１】
【数１】
0006529981.tif 000002
【００５２】
ここで、ＳＦＮｓｔａｒｔ ｔｉｍｅとｓｕｂｆｒａｍｅｓｔａｒｔ ｔｉｍｅはそれぞれ、構成されたダウンリンク割り当が初期化（または再初期化）された時刻におけるＳＦＮとサブフレームである。
【００５３】
[0064]ある特定の複数の態様にしたがって、ＤＬ  ＳＰＳに関するＨＡＲＱ処理の数は、次の値｛１，２，…８｝を取ることができる。ある特定の複数の態様にしたがって、ＤＬ  ＳＰＳに関するＨＡＲＱ処理の数は、ＨＡＲＱ処理ＩＤが
【００５４】
【数２】
0006529981.tif 000003
【００５５】
によって決定されて、ＵＥ特有に構成されることができ、ここで、ＣＵＲＲＥＮＴ＿ＴＴＩ＝［（ＳＦＮ×１０）＋サブフレーム数］およびｓｅｍｉＰｅｒｓｉｓｔＳｃｈｅｄＩｎｔｅｒｖａｌＤＬは、構成されたＤＬ  ＳＰＳの周期性である。
【００５６】
[0065]図１０Ａは、可能なＵＬ  ＨＡＲＱ処理の数を示す。ある特定の複数の態様にしたがって、ＵＬ  ＳＰＳの周期性は、次の値｛１０，２０，４０，８０，１６０，３２０，６４０｝ｍｓおよび｛３２，６４，１２８｝ｍｓを取ることができる。単一の周期性の値はＵＥに関して構成されることができる。ＰＤＣＣＨまたはＥＰＤＣＣＨを介した明示的なリリースのみならず、ＵＬ  ＳＰＳはまた、タイマパラメータ「ｉｍｐｌｉｃｉｔＲｅｌｅａｓｅＡｆｔｅｒ」に基づいて「暗黙的にリリースされる」ことができる。ある特定の複数の態様にしたがって、ＵＥは、各々がゼロ個のＭＡＣ  ＳＤＵｓを含む連続する新しいＭＡＣ  ＰＤＵｓのｉｍｐｌｉｃｉｔＲｅｌｅａｓｅＡｆｔｅｒの数（例えば、２、３、４、８）が、セミパーシステント  スケジューリングリソース上に多重化およびアセンブリエンティティによって提供されてしまった直後に構成されたアップリンク許可をクリアするものとする。
【００５７】
[0066]セミパーシステント  スケジューリングアップリンク許可が構成された後、ＵＥは、（例えば、ｔｗｏＩｎｔｅｒｖａｌｓＣｏｎｆｉｇが上位レイヤによって可能になる(enabled)場合）図１０Ｂに示された表にしたがってＳｕｂｆｒａｍｅ＿Ｏｆｆｓｅｔを設定することができる。そうでない場合、ＵＥは、Ｓｕｂｆｒａｍｅ＿Ｏｆｆｓｅｔを０に設定することができる。ある特定の複数の態様にしたがって、ＵＥはまた、Ｎ番目の許可が、それに関して
【００５８】
【数３】
0006529981.tif 000004
【００５９】
であるサブフレームにおいて生じるとシーケンシャルに検討することができ、ここで、ＳＦＮｓｔａｒｔ ｔｉｍｅとｓｕｂｆｒａｍｅｓｔａｒｔ ｔｉｍｅはそれぞれ、構成されたアップリンク許可が（再）初期化された時刻におけるＳＦＮとサブフレームである。
【００６０】
[0067]非ゼロＳｕｂｆｒａｍｅ＿Ｏｆｆｓｅｔでは、最初の複数のＳＰＳ  ＵＬ送信サブフレームは、厳密に周期的ではないが、異なる複数のＳＰＳの実例（例えば、パラメータＮ）において変化することができる。例えば、サブフレーム２におけるＴＤＤ  ＵＬ／ＤＬ構成＃１の下の１０ｍｓのＳＰＳを考えると、Ｎ＝１、２、３、４、…に関する最初の複数のＵＬ  ＳＰＳ送信サブフレームはそれぞれ、（ＳＦＮインデック、ｓｕｂｆｒａｍｅｉｎｄｅｘ）に関して、（０、３）、（１、２）、（２、３）、（３、２）…である。ある特定の複数の態様にしたがって、これらのサブフレームオフセットは、同じサブフレームにおいて複数のＳＰＳの再送信が複数の新しいＳＰＳ送信と衝突することを避けるのを助ける。
【００６１】
[0068]図１１は、本開示の複数の態様にしたがって、ＵＥが、現在の複数のサブフレームの構成と潜在的にコンフリクトする異なる複数のＳＰＳサブフレームセットでどのように構成されることができるかを示す。
【００６２】
[0069]図９と関連して記述されたように、ｅＩＭＴＡ適応は、実際のトラフィックのニーズに基づいて複数のＴＤＤ  ＤＬ／ＵＬサブフレームの構成を適応するために使用されることができる。現在の例において、ｅＩＭＴＡは、フレームＮにおけるＳＩＢ１指定(specified)の構成＃１から第１のｅＩＭＴＡの実例におけるフレームＮ＋Ｘにおける構成＃２および第２のｅＩＭＴＡの実例におけるフレームＮ＋Ｙにおける構成＃４に変更するために使用される。ＳＰＳ  ＵＬ許可はまた、例えば、複数のＵＬ  ＳＰＳ送信サブフレーム｛２，１２，…｝において構成されることができる。
【００６３】
[0070]しかし、いくつかのＵＬサブフレームが、複数のサブフレーム方向の観点から動的な適応に晒される場合、ＬＴＥにおけるｅＩＭＴＡの下でＳＰＳ支援を扱うことに関する必要性がある。例えば、ＳＰＳ  ＵＬ許可はまた、複数のＵＬ  ＳＰＳ送信サブフレーム｛３，１３，…｝において構成されることができ、例えば、フレームＮ＋Ｘ、サブフレーム３において、ＵＬサブフレームからＤＬサブフレームへの動的な適応に晒されるサブフレームに関してスケジュールされたＳＰＳ  ＵＬ送信を潜在的にもたらす。複数のサブフレーム許可(grant)が、例えば、動的ＤＬサブフレームにおいてスケジュールされた複数のＵＬ  ＳＰＳ送信のために受信される場合、ＵＥは、ＵＬ  ＳＰＳ構成／アクティブ化を誤った構成／誤ったアクティブ化として扱うことができる。
【００６４】
[0071]図１２は、例えば、ＬＴＥネットワークにおけるｅＩＭＴＡにおいてＳＰＳを支援することができるＵＥによって実行されることができる例としての複数の動作１２００を示す。
【００６５】
[0072]複数の動作１２００は、１２０２において、第１のサブフレームの構成でＵＥを構成するシグナリングを受信することによって開始する。１２０４において、ＵＥは、ダウンリンクハイブリッド自動リピート要求（ＨＡＲＱ）動作に関する基準サブフレームの構成を決定する。１２０６において、ＵＥは、アップリンクまたはダウンリンク  セミパーシステント  スケジューリング（ＳＰＳ）送信のうちの少なくとも１つのためにＳＰＳをアクティブ化する第１のサブフレームにおいて制御チャネルを受信する。１２０８において、ＵＥは、アクティブ化制御チャネル、第１のサブフレームの構成、または基準サブフレームの構成のうちの少なくとも１つに基づいて、１つまたは複数の第２のサブフレームにおいて、複数のアップリンクＳＰＳ送信を送信するか、複数のダウンリンクＳＰＳ送信を受信するかを決定する。
【００６６】
[0073]本開示のある特定の複数の態様にしたがって、ＳＰＳは、様々な方法で、ｅＩＭＴＡにおいて支援されることができる。１つの例として、ＳＰＳは、ＤＬ  ＳＰＳとＵＬ  ＳＰＳを異なって扱うことによって、ｅＩＭＴＡにおいて支援されることができる。ある特定の複数の態様にしたがって、このアプローチの下で、ＤＬ  ＳＰＳに関して、ＳＰＳアクティブ化制御チャネルおよび／または複数の物理ダウンリンク共有チャネル（ＰＤＳＣＨ）サブフレームは、ＴＤＤ  ＤＬ／ＵＬサブフレームの構成を指示するシステム情報ブロック１（ＳＩＢ１）に基づくことができ、その一方でＤＬ  ＨＡＲＱタイミングは、ＤＬ  ＨＡＲＱ基準構成に基づくことができる。
【００６７】
[0074]ある特定の複数の態様にしたがって、ＵＬ  ＳＰＳに関して、ＳＰＳアクティブ化制御チャネルおよび／または複数の物理アップリンク共有チャネル（ＰＵＳＣＨ）サブフレームは、ＤＬ  ＨＡＲＱ基準構成に基づくことができ、その一方でＵＬスケジューリング／ＨＡＲＱタイミングは、ＳＩＢ指示されたＴＤＤ  ＤＬ／ＵＬサブフレームの構成に基づくことができる。さらなる複数の態様にしたがって、暗黙のＵＬ  ＳＰＳリリースはまた、ＤＬ  ＨＡＲＱ基準構成に基づく。言い換えると、ある特定の複数の態様にしたがって、ＤＬ  ＳＰＳ構成および複数の送信は、（ＳＩＢ１  ＴＤＤ構成毎に）「固定された」複数のＤＬサブフレームに基づくことができ、その一方でＵＬ  ＳＰＳ構成および複数の送信は、（たとえば、ＤＬ  ＨＡＲＱ基準構成毎に）「固定された」複数のＵＬサブフレームに基づくことができる。
【００６８】
[0075]ある特定の複数の態様にしたがって、ｅＩＭＴＡにおいてＳＰＳを支援するための別の方法は、同じ仕方で、ＤＬ  ＳＰＳおよびＵＬ  ＳＰＳを扱うためのものであることができる。さらなる複数の態様にしたがって、ＤＬ  ＳＰＳおよびＵＬ  ＳＰＳの両方に関して、ＳＰＳアクティブ制御チャネルおよび／またはＰＤＳＣＨ／ＰＵＳＣＨサブフレームは、ＳＩＢ１指示されたＴＤＤ  ＤＬ／ＵＬサブフレームの構成に基づくことができ、その一方でＤＬ  ＨＡＲＱタイミングは、ＤＬ  ＨＡＲＱ基準構成に基づくことができ、およびＵＬスケジューリング／ＨＡＲＱタイミングは、ＳＩＢ指示されたＴＤＤ  ＤＬ／ＵＬサブフレームの構成に基づくことができる。
【００６９】
[0076]さらなる複数の態様にしたがって、暗黙のＵＬ  ＳＰＳのリリースはまた、ＳＩＢ１指示されたＴＤＤ  ＤＬ／ＵＬサブフレームの構成に基づくことができる。言い換えると、ある特定の複数の態様にしたがって、ＤＬ  ＳＰＳ構成および複数の送信は、（ＳＩＢ１  ＴＤＤ構成毎に）「固定された」複数のＤＬサブフレームに基づくことができ、その一方でＵＬ  ＳＰＳ構成および複数の送信は、（ＳＩＢ１  ＴＤＤ構成毎に）「固定されおよび動的な」複数のＵＬサブフレームに基づくことができる。別の例として、ＤＬ  ＳＰＳおよびＵＬ  ＳＰＳの両方に関して、ＳＰＳアクティブ化制御チャネルおよび／またはＰＤＳＣＨ／ＰＵＳＣＨサブフレームは、フォールバック動作に晒される動的に指示されたＴＤＤ  ＤＬ／ＵＬサブフレームの構成に基づくことができ（すなわち、ＵＥは、誤った検出またはＤＲＸ動作に起因する動的な構成を受信しない）、ここで、フォールバックの下で、ＳＩＢ指示されたサブフレームの構成が使用されることができる。
【００７０】
[0077]しかし、ある特定の複数の態様にしたがって、複数の動的なＵＬサブフレームに
関する潜在的な複数の問題が存在し得る。ある特定の複数の態様にしたがって、複数の動的なＵＬサブフレームに関する複数の問題に取り組むための１つの解決策は、複数の動的なＵＬサブフレームにおいて複数の新しいＳＰＳ送信を常に省略することであり得る。
【００７１】
[0078]複数の動的なＵＬサブフレームに関する複数の問題に取り組むための別の可能な解決策は、動的なＴＤＤ  ＤＬ／ＵＬサブフレームの構成に基づいて、ＤＬまたは複数の特別なサブフレームのいずれかであると決定されるそれらの動的なＵＬサブフレームにおいて複数の新しいＳＰＳ送信を省略することであり得る。さらなる複数の態様にしたがって、不連続受信（ＤＲＸ）またはフォールバックのケースにおいて（すなわち、ＵＥが動的なＴＤＤサブフレームの構成の指示を受信または監視しない場合）、ＵＥは、それらの動的なＵＬサブフレームにおいて複数の新しいＳＰＳ送信を省略することができる。
【００７２】
[0079]複数の動的なＵＬサブフレームに関する複数の問題に取り組むための別の可能な解決策は、少なくとも１つの新しいＳＰＳ送信が動的なＵＬサブフレームに属することになる場合に、ＵＥに関して、ＵＬ  ＳＰＳ構成／アクティブ化を誤った構成／誤ったアクティブ化として扱うことであり得る。
【００７３】
[0080]さらなる複数の態様にしたがって、ｅＩＭＴＡにおいてＳＰＳを支援するための別の方法は、動的なＴＤＤ  ＤＬ／ＵＬサブフレームの構成によって指示されたサブフレーム方向を上書きすることを複数の新しいＳＰＳサブフレームに可能にすることができる。すなわち、ＰＤＳＣＨ／ＰＵＳＣＨサブフレームは依然として、ＳＩＢ１（またはＤＬ  ＨＡＲＱ基準構成）指示されたＴＤＤ  ＤＬ／ＵＬサブフレームの構成に基づくことができるが、ＵＥは、サブフレームがＤＬの新しいＳＰＳサブフレーム（またはＵＬの新しいＳＰＳサブフレーム）であると決定される場合、サブフレームをＤＬ（またはＵＬ）サブフレームとして常に扱うことができる。
【００７４】
[0081]本開示のある特定の複数の態様は、ｅＩＭＴＡおよびＳＰＳを支援するシステムに関する複数のＵＬ電力制御セットを提供する。ｅＩＭＴＡにおけるＵＬに関して、２個のＵＬ電力制御サブフレームセットは、ＰＵＳＣＨ（動的なトラフィック）に関して同意される。しかし、ＵＬ  ＳＰＳに関して、２個のＵＬ電力制御サブフレームセットがＵＥに関して構成される場合、２個のサブフレームセットが同様にＳＰＳトラフィックに適用可能であるべきかどうかの問題が存在し得る(may)。
【００７５】
[0082]ある特定の複数の態様にしたがって、このＳＰＳ  ＵＬ電力制御の問題に取り組むための１つの可能な方法は、唯一のサブフレームセットとしてＳＰＳに関する複数の主要な開ループ電力制御パラメータに向けられ、および閉ループ電力制御を動的なトラフィックにあるような２つのサブフレームセットに従わせることであり得る(may)。さらにまたは代替として、ＳＰＳに関する開電力制御および閉電力制御の両方は、２個のサブフレームセットに従うことができる。さらにまたは代替として、ＳＰＳに関する開電力制御および閉電力制御の両方は、１個のサブフレームセットにだけ従うということもできる。
【００７６】
[0083]本開示のある特定の複数の態様は、ｅＩＭＴＡおよびＳＰＳを支援するシステムにおいて扱う（図７に表されたような）サブフレームの構成６を提供する。ある特定の複数の態様にしたがって、２つのＴＤＤ切換周期(switching periodicities)（５ｍｓおよび１０ｍｓ）に起因して、サブフレーム６は、複数のＤＬサブフレームと複数の特別なサブフレームの間の動的な変更に晒されることができる。例えば、ＳＩＢ１が１個の特別なサブフレームを指示するが、動的な指示が１個の通常のＤＬサブフレームを指示する場合、サブフレーム６は、複数のＤＬサブフレームと複数の特別なサブフレームの間の動的変更に晒されることができる。さらに、ＳＩＢ１が１個の通常のＤＬサブフレームを指示するが、動的指示が１個の特別なサブフレームを指示する場合、サブフレーム６は、複数のＤＬサブフレームと複数の特別なサブフレームの間の動的変更に晒されることができる。これらの実例の両方において、ＤＬ  ＳＰＳ（複数の新しい送信）がＳＩＢ１または動的指示を指示されたサブフレームタイプに従うべきかどうかの問題が存在し得る。
【００７７】
[0084]ある特定の複数の態様にしたがって、ＤＬ  ＳＰＳ（複数の新しい送信）にとってＳＩＢ１に従うことが望ましくあり得る。さらにまたは代替として、ＤＬ  ＳＰＳ（複数の新しい送信）にとって、利用可能であるときには動的な指示に従い、および動的な指示が利用可能でないときにはＳＩＢ１に従うことが望ましくあり得る。
【００７８】
[0085]複数の新しいＳＰＳ送信が、（例えば、複数の特別なサブフレームと複数の通常のダウンリンクサブフレームの間の）複数のサブフレームタイプの変更に晒される場合、リソースブロック毎に利用可能なリソースの量が複数の特別なサブフレームと複数の通常のダウンリンクサブフレームの間で異なるため、複数の新しい送信に関する複数のＳＰＳパラメータのうちのいくつかを自動的に調整する必要性があり得る。ある特定の複数の態様にしたがって、調整は、リソースブロック（ＲＢｓ）の数、複数のＲＢｓのロケーション、変調コーディングスキーム（ＭＣＳ）などを含むことができる。
【００７９】
[0086]ある特定の複数の態様にしたがって、別の問題は、ｅＩＭＴＡの下でＵＬ  ＴＴＩバンドリングをどのように扱うかであり得る。ＴＴＩバンドリングは、ＵＥ毎の基準で可能にされることができ、可能にされたときに、単一のトランスポートブロックが４個の連続するＵＬサブフレームにおいて送信されることができる。しかし、どの４個のＵＬサブフレームが複数のトランスポートブロックを送信するために選ばれるべきかは明らかではない。
【００８０】
[0087]ある特定の複数の態様にしたがって、どの４個のＵＬサブフレームが複数のトランスポートブロックを送信するために使用されるべきかを決定するための１つの解決策は、ＳＩＢ１にその決定を基づかせることであり得る。しかし、いくつかのＵＬサブフレームは、動的な方向変換に起因して利用可能であり得ない。したがって、全てのフレキシブルなＵＬサブフレームにおいて複数のＵＬ送信を省略することが望ましくあり得る。さらにまたは代替として、これらのサブフレームが（動的な指示に基づいて）ＤＬまたは特別なサブフレームであると決定される場合、複数のフレキシブルなＵＬサブフレームにおいて複数のＵＬ送信を省略することが望ましくあり得る。フォールバック／ＤＲＸの下で、ＵＥは、複数のフレキシブルなＵＬサブフレームを常に省略することができる。さらにまたは代替として、動的な指示に関わらず常に送信することが望ましくあり得る。言い換えると、ＵＥは、複数のＵＬサブフレームが利用可能であると常に仮定することができる。
【００８１】
[0088]ある特定の複数の態様にしたがって、どの４個のＵＬサブフレームが複数のトランスポートブロックを送信するために使用されるべきかを決定するための別の解決策は、（すなわち、ｅＩＭＴＡの下でＴＴＩバンドリングを支援していない）ＤＬ  ＨＡＲＱ基準構成にその決定を基づかせることであり得る。これは、ＴＴＩバンドリングがｅＩＭＴＡの下で支援されることができないことを暗示する。
【００８２】
[0089]開示された複数の処理における複数のステップの特定の順序または階層は、複数の例示的なアプローチの例であることが理解される。設計の好みに基づいて、複数の処理における複数のステップの特定の順序または階層が再配列されることが理解される。さらに、いくつかのステップは組み合わされるか、または省略されることができる。添付の方法の請求項は、サンプルの順序で様々なステップの複数の要素を提示しており、および提示された特定の順序または階層に限定されることを意味するものではない。
【００８３】
[0090]さらに、用語、「または」は、排他的な「または」ではなく、包括的な「または」を意味するように意図されている。すなわち、特に指定がなく、または文脈から明らでない限り、フレーズ、例えば、「ＸはＡまたＢを用いる」は、自然な包括的置換のいずれかを意味するように意図されている。すなわち、例えば、フレーズ「ＸはＡまたはＢを用いる」は、下記の実例：ＸはＡを用いる；ＸはＢを用いる；またはＸはＡおよびＢの両方を用いる、のいずれかによって満足される。加えて、本明細書および添付の特許請求の範囲において使用されるような冠詞「ａ」および「ａｎ」は、特に指定が無く、またはコンテキストから単数形に向けられていると明らかで無い限り、一般に、「１つまた複数の」を意味するように解釈されるべきである。複数の項目のリスト「のうちの少なくとも１つ」を指すフレーズは、複数の単一のメンバを含むそれらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図されている。
【００８４】
[0091]前の説明は、ここに記述された様々な態様を実施することを当業者に可能にするために提供される。これらの態様に対する様々な変更は、当業者に容易に明らかになることであり、およびここで定義された一般的な原則は他の複数の態様に適用されることができる。したがって、特許請求の範囲は、ここに示された複数の態様に限定されるように意図されていないが、特許請求の範囲の言語に合わせた最大の範囲が与えられることになり、ここにおいて、単数の要素への言及は、特にそのように述べられていない限り、「１つおよび１つのみ」を意味するのではなく、むしろ「１つまたは複数」を意味するように意図されている。特に述べられていない限り、用語「いくつかの」は１つまたは複数を指す。当業者に知られているまたは後に知られることになる本開示の全体を通して記述された様々な態様の要素に全ての構造的および機能的に同等なものは、参照によりここに明示的に組み込まれ、および特許請求の範囲によって網羅されるように意図されている。さらに、こういった開示が特許請求の範囲に明示的に記載されているかどうかに関わらず、公共に献じられるように意図されてここに開示されたものは無い。いずれの請求項の要素も、その要素が、「するための手段」というフレーズを使用して明示的に記載されない限り、ミーンズ  プラス  ファンクションとして解釈されるものではない。
以下に、本願の出願当初の特許請求の範囲に記載された発明を付記する。
［Ｃ１］
ユーザ機器（ＵＥ）による複数のワイヤレス通信に関する方法であって、
第１のサブフレームの構成で前記ＵＥを構成するシグナリングを受信することと、
ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関してＳＰＳをアクティブ化する第１のサブフレームにおけるアクティブ化制御チャネルを受信することと、
前記アクティブ化制御チャネル、前記第１のサブフレームの構成、または前記基準サブフレームの構成のうちの少なくとも１つに基づいて、１つまたは複数の第２のサブフレームにおいて、複数のアップリンクＳＰＳ送信を送信するか、複数のダウンリンクＳＰＳ送信を受信するかを決定することと、
を備える方法。
［Ｃ２］
前記第１のサブフレームの構成で前記ＵＥを構成する前記シグナリングは、システム情報ブロックに基づく、Ｃ１に記載の方法。
［Ｃ３］
前記基準サブフレームの構成は、無線リソース制御（ＲＲＣ）構成に基づく、Ｃ１に記載の方法。
［Ｃ４］
前記１つまたは複数の第２のサブフレームにおいて複数のアップリンクＳＰＳ送信を送信するかどうかの前記決定に少なくとも部分的に基づいて前記複数のアップリンクＳＰＳ送信を送信すること、または
１つまたは複数の第２のサブフレームにおいて複数のダウンリンクＳＰＳ送信を受信するかどうかの前記決定に少なくとも部分的に基づいて前記複数のダウンリンクＳＰＳ送信を受信すること、
のうちの少なくとも１つをさらに備える、Ｃ１に記載の方法。
［Ｃ５］
前記ＵＥに関する複数のＳＰＳパラメータのセットを構成する準静的構成を受信することと、ここにおいて、前記複数のＳＰＳパラメータのセットは、ＳＰＳインターバル、ＵＥ特有のアイデンティティ、ＨＡＲＱ処理の数、複数のＨＡＲＱリソースのセット、複数の電力制御パラメータのセット、暗黙のリリースに関するタイマ、または２つのインターバルの動作を制御するパラメータのうちの少なくとも１つを含む、
前記準静的構成に基づいて、さらに前記１つまたは複数の第２のサブフレームにおいて、複数のダウンリンクＳＰＳ送信を受信するか、または複数のアップリンクＳＰＳ送信を受信するかを決定することと、
前記準静的構成にさらに基づいて、前記１つまたは複数の第２のサブフレームにおいて、前記複数のダウンリンクＳＰＳ送信を受信すること、または複数のアップリンクＳＰＳ送信を送信することと、
をさらに備える、Ｃ４に記載の方法。
［Ｃ６］
前記アクティブ化制御チャネルは、前記ＳＰＳ送信に関する変調およびコーディング  インジケータまたは複数のリソースのセットうちの少なくとも１つを割り当てる、Ｃ１に記載の方法。
［Ｃ７］
第２のサブフレームの構成を指示する動的なインジケータを受信することをさらに備えるＣ１に記載の方法。
［Ｃ８］
前記ＳＰＳはダウンリンクＳＰＳであり、および前記１つまたは複数の第２のサブフレームにおいて、前記複数のダウンリンクＳＰＳ送信を受信するかどうかの前記決定は、前記第１のサブフレームの構成と前記第２のサブフレームの構成の両方に基づく、Ｃ７に記載の方法。
［Ｃ９］
前記１つまたは複数の第２のサブフレームのうちの１個のサブフレームにおいて、前記サブフレームが、ダウンリンクサブフレームまたは特別なサブフレームとして前記第１のサブフレームの構成および前記第２のサブフレームの構成の両方によって指示される時、前記複数のダウンリンクＳＰＳ送信を受信することを決定することをさらに備える、Ｃ８に記載の方法。
［Ｃ１０］
前記１つまたは複数の第２のサブフレームのうちの１個のサブフレームにおいて、前記サブフレームが、ダウンリンクサブフレームとして前記第１のサブフレームの構成または前記第２のサブフレームの構成のうちの１個によって表示されるが、アップリンクサブフレームまたは特別なサブフレームのうちの少なくとも１個として、前記他の構成によって表示される時、前記複数のダウンリンクＳＰＳ送信を受信することを省略することを決定することをさらに備える、Ｃ８に記載の方法。
［Ｃ１１］
前記１つまたは複数の第２のサブフレームのうちの１個のサブフレームにおいて、前記サブフレームが、ダウンリンクサブフレームまたは特別なサブフレームのうちの１個として前記第１のサブフレームの構成によって指示される時、前記複数のダウンリンクＳＰＳ送信を受信することを決定することをさらに備える、Ｃ１に記載の方法。    
［Ｃ１２］
前記ＳＰＳはアップリンクＳＰＳであり、および前記１つまたは複数の第２のサブフレームにおいて、前記複数のダウンリンクＳＰＳ送信を受信するかどうかの前記決定は、前記第１のサブフレームの構成または前記基準サブフレームの構成のうちの１つに基づく、Ｃ１に記載の方法。
［Ｃ１３］
前記ＳＰＳはアップリンクＳＰＳであり、および前記１つまたは複数の第２のサブフレームにおいて、前記のアップリンクＳＰＳを送信するかどうかの前記決定は、少なくとも前記基準サブフレームの構成と前記第１のサブフレームの構成の両方に基づく、Ｃ１に記載の方法。
［Ｃ１４］
前記１つまたは複数の第２のサブフレームにおいて前記アップリンクＳＰＳを送信するかどうかの前記決定は、動的に示された第２のサブフレームの構成にさらに基づく、Ｃ１３に記載の方法。
［Ｃ１５］
前記基準サブフレームの構成から独立した、前記第１のサブフレームの構成、前記準静的構成、および前記アクティブ化制御チャネルに基づいて、前記１つまたは複数の第２のサブフレームのうちの１つのサブフレームにおいて、前記複数のダウンリンクＳＰＳ送信を受信すること、または前記アップリンクＳＰＳを送信することを決定することをさらに備える、Ｃ５に記載の方法。
［Ｃ１６］
前記１つまたは複数の第２のサブフレームのうちの少なくとも１つのサブフレームに関する複数の電力制御セットから１つの電力制御セットを決定することと、および前記決定された電力制御セットに基づいて、前記１つまたは複数の第２のサブフレームのうちの前記少なくとも１つのサブフレームにおいて、前記ＳＰＳを送信することとをさらに備える、Ｃ１に記載の方法。
［Ｃ１７］
ユーザ機器（ＵＥ）による複数のワイヤレス通信のための装置であって、
第１のサブフレームの構成で前記ＵＥを構成するシグナリングを受信するための手段と、
ダウンリンクハイブリッド自動リピート要求（ＨＡＲＱ）動作に関する基準サブフレームの構成を決定するための手段と、
アップリンクまたはダウンリンク  セミパーシステント  スケジューリング（ＳＰＳ）送信のうちの少なくとも１つに関してＳＰＳをアクティブ化する第１のサブフレームにおけるアクティブ化制御チャネルを受信するための手段と、
前記アクティブ化制御チャネル、前記第１のサブフレームの構成、または前記基準サブフレームの構成のうちの少なくとも１つに基づいて、１つまたは複数の第２のサブフレームにおいて、複数のダウンリンクＳＰＳ送信を受信するか、または複数のアップリンクＳＰＳ送信を送信するか、を決定するための手段と、
を備える装置。
［Ｃ１８］
前記第１のサブフレームの構成で前記ＵＥを構成する前記シグナリングは、システム情報ブロックに基づく、Ｃ１７に記載の装置。
［Ｃ１９］
前記基準サブフレームの構成は、無線リソース制御（ＲＲＣ）構成に基づく、Ｃ１７に記載の装置。
［Ｃ２０］
前記１つまたは複数の第２のサブフレームにおいて複数のアップリンクＳＰＳ送信を送信するかどうかの前記決定に少なくとも部分的に基づいて前記複数のアップリンクＳＰＳ送信を送信するための手段、または
前記１つまたは複数の第２のサブフレームにおいて複数のダウンリンクＳＰＳ送信を受信するかどうかの前記決定に少なくとも部分的に基づいて前記複数のダウンリンクＳＰＳ送信を受信するための手段、
をさらに備える、Ｃ１７に記載の装置。
［Ｃ２１］
前記ＵＥに関する複数のＳＰＳパラメータのセットを構成する準静的構成を受信することと、ここにおいて、前記複数のＳＰＳパラメータのセットは、ＳＰＳインターバル、ＵＥ特有アイデンティティ、ＨＡＲＱ処理の数、複数のＨＡＲＱリソースのセット、複数の電力制御パラメータのセット、暗黙のリリースに関するタイマ、または２つのインターバルの動作を制御するパラメータのうちの少なくとも１つを含む、
前記準静的構成に基づいて、さらに前記１つまたは複数の第２のサブフレームにおいて、複数のダウンリンクＳＰＳ送信を受信する、または複数のアップリンクＳＰＳ送信を送信するか否かを決定することと、および
前記準静的構成にさらに基づいて、前記１つまたは複数の第２のサブフレームにおいて、複数のダウンリンクＳＰＳ送信を受信する、または前記複数のアップリンクＳＰＳ送信を送信すること、
をさらに備える、Ｃ２０に記載の装置。
［Ｃ２２］
前記アクティブ化制御チャネルは、前記ＳＰＳ送信に関する変調及びコーディング  インジケータ、または複数のリソースのセットのうちの少なくとも１つを割り当てる、Ｃ１７に記載の装置。
［Ｃ２３］
第２のサブフレームの構成を指示する動的なインジケータを受信することをさらに備える、Ｃ１７に記載の装置。
［Ｃ２４］
前記ＳＰＳはダウンリンクＳＰＳであり、および前記１つまたは複数の第２のサブフレームにおいて、前記複数のダウンリンクＳＰＳ送信を受信するかどうかの前記決定は、前記第１のサブフレームの構成と前記第２のサブフレームの構成の両方に基づく、Ｃ２３に記載の装置。
［Ｃ２５］
前記サブフレームが、ダウンリンクサブフレームまたは特別なサブフレームとして前記第２のサブフレームの構成および前記第１のサブフレームの構成の両方によって表示されるとき、前記１つまたは複数の第２のサブフレームのうちの１つのサブフレームにおいて、前記複数のダウンリンクＳＰＳ送信を受信することを決定するための手段をさらに備える、Ｃ２４に記載の装置。
［Ｃ２６］
前記サブフレームが、ダウンリンクサブフレームとして前記第２のサブフレームの構成または前記第１のサブフレームの構成の１つによって表示されるとき、前記１つまたは複数の第２のサブフレームのうちの１つのサブフレームにおいて、前記複数のダウンリンクＳＰＳ送信を受信することを省略することを決定するための手段をさらに備える、Ｃ２４に記載の装置。
［Ｃ２７］
前記サブフレームが、ダウンリンクサブフレームまたは特別なサブフレームのうちの１つとして前記第１のサブフレームの構成によって表示指示される時、前記１つまたは複数の第２のサブフレームのうちの１つのサブフレームにおいて、前記複数のダウンリンクＳＰＳ送信を受信することを決定するための手段をさらに備える、Ｃ１７に記載の装置。
［Ｃ２８］
前記ＳＰＳはアップリンクＳＰＳであり、および前記１つまたは複数の第２のサブフレームにおいて、前記複数のダウンリンクＳＰＳ送信を受信するかどうかの前記決定は、前記第１のサブフレームの構成または前記基準サブフレームの構成のうちの１つに基づく、Ｃ１７に記載の装置。
［Ｃ２９］
ユーザ機器（ＵＥ）による複数のワイヤレス通信に関する装置であって、
少なくとも１つのプロセッサと、前記少なくとも１つのプロセッサに結合され、その上に記憶された複数の命令を有するメモリを備え、ここにおいて、
前記少なくとも１つのプロセッサは、
第１のサブフレームの構成で前記ＵＥを構成するシグナリングを受信することと、      ダウンリンクハイブリッド自動リピート要求（ＨＡＲＱ）動作に関する基準サブフレームの構成を決定することと、
アップリンクまたはダウンリンク  セミパーシステント  スケジューリング（ＳＰＳ）送信のうちの少なくとも１つに関するＳＰＳをアクティブ化する第１のサブフレームにおけるアクティブ化制御チャネルを受信することと、
前記アクティブ化制御チャネル、前記第１のサブフレームの構成、または前記基準サブフレームの構成のうちの少なくとも１つに基づいて、１つまたは複数の第２のサブフレームにおいて、複数のダウンリンクＳＰＳ送信を受信するか、複数のアップリンクＳＰＳ送信を送信するか、を決定することと、
を行うように構成される、
装置。
［Ｃ３０］
その上に記憶された複数の命令を有する、ユーザ機器（ＵＥ）による複数のワイヤレス通信のためのコンピュータ可読媒体であって、前記複数の命令は、
第１のサブフレームの構成で前記ＵＥを構成するシグナリングを受信することと、    ダウンリンクハイブリッド自動リピート要求（ＨＡＲＱ）動作に関する基準サブフレームの構成を決定すること、
アップリンクまたはダウンリンク  セミパーシステント  スケジューリング（ＳＰＳ）送信のうちの少なくとも１つに関するＳＰＳをアクティブ化する第１のサブフレームにおけるアクティブ化制御チャネルを受信することと、および
前記アクティブ化制御チャネル、前記第１のサブフレームの構成、または前記基準サブフレームの構成のうちの少なくとも１つに基づいて、１つまたは複数の第２のサブフレームにおいて、複数のダウンリンクＳＰＳ送信を受信するか、複数のアップリンクＳＰＳ送信を送信するか、を決定することと、
に関する１つまたは複数のプロセッサによって実行可能である、
コンピュータ可読媒体。
【図１】
0006529981.tif 000005
【図２】
0006529981.tif 000006
【図３】
0006529981.tif 000007
【図４】
0006529981.tif 000008
【図５】
0006529981.tif 000009
【図６】
0006529981.tif 000010
【図７】
0006529981.tif 000011
【図８】
0006529981.tif 000012
【図９】
0006529981.tif 000013
【図１０Ａ】
0006529981.tif 000014
【図１０Ｂ】
0006529981.tif 000015
【図１１】
0006529981.tif 000016
【図１２】
0006529981.tif 000017